(57)【要約】【課題】アクセサリコネクタに水滴などが侵入して短絡した場合でも誤検知することなくユーザの撮影動作を阻害しないアクセサリシューカバーを提供する。【解決手段】撮像装置（１００）のアクセサリシュー（１１０）に装着可能なアクセサリシューカバー（２００）であって、アクセサリシューのコネクタ（１１１）を構成する複数の端子（６０２）を覆う庇部（５００）と、庇部（５００）の周囲に設けられ、アクセサリシュー（１１０）に当接する止水部（５０１、５０２、５０３）と、複数の端子（６０２）の少なくとも一つに当接する接点部（５０４、５０５、５０６）とを有する。【選択図】図５
2019191365.tif 000002
【特許請求の範囲】
【請求項１】
撮像装置のアクセサリシューに装着可能なアクセサリシューカバーであって、
前記アクセサリシューのコネクタを構成する複数の端子を覆う庇部と、
前記庇部の周囲に設けられ、前記アクセサリシューに当接する止水部と、
前記複数の端子の少なくとも一つに当接する接点部と、を有することを特徴とするアクセサリシューカバー。
【請求項２】
前記接点部の数は、前記複数の端子の数よりも少なく、
前記アクセサリシューカバーを前記アクセサリシューに装着した場合、前記複数の端子のうち前記接点部が当接していない端子と前記庇部との間には空隙が形成されることを特徴とする請求項１に記載のアクセサリシューカバー。
【請求項３】
前記止水部および前記庇部は、弾性を有し、前記アクセサリシューカバーを前記アクセサリシューに装着する際にプレートおよび前記コネクタの少なくとも一部に当接することを特徴とする請求項１または２に記載のアクセサリシューカバー。
【請求項４】
前記接点部は、弾性を有し、前記アクセサリシューカバーを前記アクセサリシューに装着する際に前記複数の端子の少なくとも一つに当接することを特徴とする請求項１乃至３のいずれか１項に記載のアクセサリシューカバー。
【請求項５】
前記止水部のチャージ力をＦα、前記接点部のチャージ力をＦβとするとき、
Ｆα＞Ｆβ
を満足することを特徴とする請求項１乃至４のいずれか１項に記載のアクセサリシューカバー。
【請求項６】
前記接点部は、導通可能な導体部を有することを特徴とする請求項１乃至５のいずれか１項に記載のアクセサリシューカバー。
【請求項７】
前記庇部の所定方向における位置決めを行う位置決め部を更に有し、
前記位置決め部は、前記所定方向において、前記接点部の前記導体部と同一の位置に設けられていることを特徴とする請求項６に記載のアクセサリシューカバー。
【請求項８】
前記接点部は、前記撮像装置に外付けアクセサリが装着されたことを検知する前記コネクタの第一の検知端子に対応する位置に設けられた第一の接点部と、前記コネクタのＧＮＤ端子に対応する位置に設けられた第三の接点部と、を有することを特徴とする請求項１乃至７のいずれか１項に記載のアクセサリシューカバー。
【請求項９】
前記接点部は、更に、前記撮像装置に前記外付けアクセサリが装着されたことを検知する前記コネクタの第二の検知端子に対応する位置に設けられた第二の接点部を有することを特徴とする請求項８に記載のアクセサリシューカバー。
【請求項１０】
前記第一の接点部が当接する前記第一の検知端子または前記第二の接点部が当接する前記第二の検知端子の少なくとも一方は、前記撮像装置にＥＶＦアクセサリが装着されたことを検知する端子であることを特徴とする請求項９に記載のアクセサリシューカバー。
【請求項１１】
前記第一の接点部または前記第二の接点部の少なくとも一方と前記第三の接点部は、前記アクセサリシューカバーの内部で短絡していることを特徴とする請求項９または１０に記載のアクセサリシューカバー。
【請求項１２】
前記第一の接点部または前記第二の接点部の少なくとも一方と前記第三の接点部との短絡構造は、インサート成型構造またはパターニング構造であることを特徴とする請求項１１に記載のアクセサリシューカバー。
【請求項１３】
アクセサリシューを備えた撮像装置と、
請求項１乃至１２のいずれか１項に記載のアクセサリシューカバーと、を有することを特徴とする撮像システム。
【請求項１４】
前記撮像装置は制御部を有し、
前記接点部は、
前記撮像装置に外付けアクセサリが装着されたことを検知する前記コネクタの第一の検知端子に対応する位置に設けられた第一の接点部と、
前記撮像装置に前記外付けアクセサリが装着されたことを検知する前記コネクタの第二の検知端子に対応する位置に設けられた第二の接点部と、
前記コネクタのＧＮＤ端子に対応する位置に設けられた第三の接点部と、を有し、
前記制御部は、前記第一の検知端子または前記第二の検知端子の少なくとも一方と前記ＧＮＤ端子とが短絡している場合、前記撮像装置に前記アクセサリシューカバーが装着されていると判定し、前記第一の検知端子または前記第二の検知端子を介して前記外付けアクセサリの装着検知を行わないことを特徴とする請求項１３に記載の撮像システム。
【請求項１５】
前記制御部は、前記第一の検知端子または前記第二の検知端子の少なくとも一方と前記ＧＮＤ端子とが短絡していない場合、前記撮像装置から前記アクセサリシューカバーが外されたと判定し、警告を通知することを特徴とする請求項１４に記載の撮像システム。
【発明の詳細な説明】
【技術分野】
【０００１】
本発明は、撮像装置のアクセサリシューを保護するアクセサリシューカバーに関する。
【背景技術】
【０００２】
近年、多くの撮像装置は、外付けの電子ビューファインダ（ＥＶＦ）、ストロボ、または、その他の電子制御アクセサリ等を装着、通信するため、複数の金属接点を備えたコネクタ構造のアクセサリシューを有する。コネクタ構造等の複雑な接点構造を有するアクセサリシューの場合、ユーザがアクセサリを装着する際に、誤ってアクセサリコネクタの接点部を破壊しないような構成が必要である。
【０００３】
例えば特許文献１には、アクセサリシューに設けられたアクセサリコネクタのアクセサリ装着検出端子の両隣の端子がアクセサリ装着検出端子と短絡状態である場合、アクセサリの装着を検知しないカメラが開示されている。特許文献２には、静電気対策のためアクセサリシューを水滴や粉塵などから簡易的に保護するアクセサリシューカバーに取り付けた導電性の化粧部材と、アクセサリシューとを導電性のばね部材で電気的にＧＮＤ接続する構成を有する電子機器が開示されている。
【先行技術文献】
【特許文献】
【０００４】
【特許文献１】特許第５３１０９００号公報
【特許文献２】特許第４４３４１５３号公報
【発明の概要】
【発明が解決しようとする課題】
【０００５】
しかし、アクセサリシューカバー、水滴や粉塵などから簡易的に保護するに過ぎず、降雨時に撮影を続けるとアクセサリシューカバーと外装部材との隙間などからアクセサリコネクタ付近まで浸水してしまう可能性がある。
【０００６】
特許文献１に開示されたカメラは、水滴などにより特定の端子が短絡した場合、雨滴による短絡を検知することができないため、規定外のアクセサリが装着されたと誤認識する可能性がある。また特許文献２に開示された電子機器も、雨滴などの侵入によって端子が短絡した場合のアクセサリの誤検知について対応することができない。また、誤検知結果がエラーとして表示されると、ユーザは撮影を停止してエラーを解除する操作を行わなければならず、ユーザの撮影動作が阻害される。
【０００７】
そこで本発明は、アクセサリコネクタに水滴などが侵入して短絡した場合でも誤検知することなくユーザの撮影動作を阻害しないアクセサリシューカバーおよび撮像システムを提供する。
【課題を解決するための手段】
【０００８】
本発明の一側面としてのアクセサリシューカバーは、撮像装置のアクセサリシューに装着可能なアクセサリシューカバーであって、前記アクセサリシューのコネクタを構成する複数の端子を覆う庇部と、前記庇部の周囲に設けられ、前記アクセサリシューに当接する止水部と、前記複数の端子の少なくとも一つに当接する接点部とを有する。
【０００９】
本発明の他の側面としての撮像システムは、アクセサリシューを備えた撮像装置と前記アクセサリシューカバーとを有する。
【００１０】
本発明の他の目的及び特徴は、以下の実施形態において説明される。
【発明の効果】
【００１１】
本発明によれば、アクセサリコネクタに水滴などが侵入して短絡した場合でも誤検知することなくユーザの撮影動作を阻害しないアクセサリシューカバーおよび撮像システムを提供することができる。
【図面の簡単な説明】
【００１２】
【図１】本実施形態における撮像装置のブロック図である。
【図２】本実施形態における撮像装置の背面斜視図である。
【図３】本実施形態におけるアクセサリシューの拡大図である。
【図４】本実施形態におけるアクセサリコネクタの端子配置例である。
【図５】本実施形態におけるアクセサリシューカバーの構成図である。
【図６】本実施形態におけるアクセサリシューカバーが装着された状態でのアクセサリシューの拡大図である。
【図７】本実施形態におけるアクセサリシューカバーが装着された状態での撮像装置の動作の説明図である。
【発明を実施するための形態】
【００１３】
以下、本発明の実施形態について、図面を参照しながら詳細に説明する。
【００１４】
まず、図１および図２を参照して、本実施形態における撮像装置の構成について説明する。図１は、撮像装置１００のブロック図である。図２は、撮像装置１００の背面斜視図である。なお、図１および図２において、同一部位については同じ番号を付与して説明する。
【００１５】
１０１は撮像レンズ（撮像光学系）である。撮像レンズ１０１は、被写体に対して合焦位置関係を有するズームレンズおよびフォーカスレンズからなる。１０２は、ＣＣＤセンサやＣＭＯＳセンサなどの撮像素子である。撮像素子１０２は、撮像レンズ１０１を介して形成された被写体像（光学像）を光電変換する。１０３は撮像素子制御回路である。撮像素子制御回路１０３は、撮像素子１０２を駆動し、撮像素子１０２から出力されるアナログ信号やデジタル信号を制御する。
【００１６】
１０５は表示装置制御回路である。表示装置制御回路１０５は、後述の中央演算処理装置１０４からの制御信号・映像信号を受け、表示装置１０６に映像信号を出力する。表示装置１０６は、ＬＣＤ（Ｌｉｑｕｉｄ  Ｃｒｙｓｔａｌ  Ｄｉｓｐｌａｙ）などの液晶パネル、液晶パネルの背面から光を照射するバックライト、およびタッチパネルなどを備えて構成されている。不図示のタッチパネルは、指先と導電膜との間の静電容量の変化を捉えて検知する静電容量方式や、透明電極が配置され、手指などで押し下げた力点の位置座標を電圧値で検出する感圧方式（抵抗膜圧方式）などで構成される入力装置である。
【００１７】
１０７は、露光量を決定するシャッタである。シャッタ１０７は、フォーカルプレーンシャッタユニットやシーケンス機構などで構成されるメカニカルシャッタである。ただし本発明は、これに限定されるものではなく、撮像素子１０２の画素列毎に電気的なスリット形成して露光量を決定する電子シャッタ、または、電子シャッタとメカニカルシャッタとを併用した構成を採用してもよい。
【００１８】
１０８はレリーズ釦であり、撮像装置１００に対して撮影動作の指示を行う操作部材である。レリーズ釦１０８のＳＷ１（半押し）により、不図示のＡＦセンサによるＡＦ処理、ＡＥセンサなどによるＡＥ処理、ストロボなどのプリ発光処理の動作開始が指示される。レリーズ釦１０８のＳＷ２（全押し）により、シャッタ１０７は走行を開始し、撮像素子１０２は露光処理を行う。なおＡＦ処理については、ＡＦ専用のＡＦセンサを用いたＡＦ処理に代えて、撮像素子１０２の各画素に設けられた位相差ＡＦセンサの出力信号に基づいて合焦処理（ＡＦ処理）を行う撮像面位相差ＡＦを用いてもよい。１０９は操作部材である。操作部材１０９は、撮像装置１００の各種設定の変更や決定、情報表示などをユーザが操作指示するダイヤルや釦類などである。
【００１９】
１０４は中央演算処理装置である。中央演算処理装置１０４は、レリーズ釦１０８や操作部材１０９などからの指示により、撮像素子制御回路１０３や表示装置制御回路１０５などの制御、不図示のＡＦセンサ、シャッタ１０７などの駆動・制御を行うマイクロコンピュータ（制御部）である。また中央演算処理装置１０４は、ユーザが所定の操作を行うことにより、撮像素子１０２から出力された画像信号（画像データ）を表示装置制御回路１０５を介して表示装置１０６に出力する処理を行う。中央演算処理装置１０４は、このような処理を行うことにより、撮像素子１０２からの画像信号をリアルタイムで表示装置１０６に表示するライブビュー表示を行うことが可能となる。
【００２０】
１１０はアクセサリシューである。２００はＡＣＣカバー（アクセサリシューカバー）である。ＡＣＣカバー２００は、撮像装置１００のアクセサリシュー１１０に外付けアクセサリ１１７や外付けストロボが装着されていない場合にアクセサリシュー１１０を水滴や埃から防護するカバーである。なお本実施形態において、ＡＣＣカバー２００が装着された撮像装置１００を撮像システムともいう。
【００２１】
ここで、図３を参照して、アクセサリシュー１１０の構成について説明する。図３は、アクセサリシュー１１０の拡大図である。なお、図２にはＡＣＣカバー２００が撮像装置１００に装着されている状態（装着状態）を示し、図３はＡＣＣカバー２００が装着されていない状態（非装着状態）を示している。
【００２２】
３０１は、アクセサリシュー１１０の台座となるＡＣＣステージ（アクセサリシューステージ）である。３０２はＡＣＣピン（アクセサリシューピン）である。ＡＣＣステージ３０１は、ＡＣＣピン３０２を絶縁性のあるエンジニアリングプラスチックでインサート成型して構成されている。ＡＣＣピン３０２は、黄銅などの金属を切削や鍛造加工などにて形成した導通、通信を行うためのピンである。
【００２３】
アクセサリシュー１１０に外付けのストロボ（外付けアクセサリ１１７）が装着された際、ＡＣＣピン３０２と外付けストロボの所定端子とが互いに当接することで導通する。また、ＡＣＣピン３０２の反対側の端は、撮像装置１００の外装カバー３０５の内側などに配設されたＦＰＣ６０３（図６（ｂ）参照）などに半田付けされ、ＦＰＣ６０３など介して中央演算処理装置１０４と通信することで外付けストロボの発光制御を行う。
【００２４】
３０３はＡＣＣスプリング（アクセサリシュースプリング）である。ＡＣＣスプリング３０３は、金属板の曲げ加工で形成され、アクセサリシュー１１０に外付けアクセサリ１１７が装着された際に曲げ加工で形成されたスプリング部によって外付けアクセサリ１１７のガタつきを抑制する。
【００２５】
３０４はＡＣＣプレート（アクセサリシュープレート）である。ＡＣＣプレート３０４は、金属板の曲げ加工で形成される。外付けアクセサリ１１７は、ＡＣＣプレート３０４のコの字形状部とＡＣＣスプリング３０３とで外付けアクセサリ１１７の固定部が挟持されて固定される。
【００２６】
ＡＣＣステージ３０１およびＡＣＣスプリング３０３は、ＰＣ（Ｐｏｌｙｃａｒｂｏｎａｔｅ）などのエンジニアリングプラスチックや、マグネタイト合金などの外装カバー３０５の内観側からＡＣＣプレート３０４へ締結される不図示のビスで共締めされる。これにより、ＡＣＣステージ３０１およびＡＣＣスプリング３０３は外装カバー３０５に固定される。また、ＡＣＣステージ３０１、ＡＣＣスプリング３０３、ＡＣＣプレート３０４、および、外装カバー３０５は、密着してビスで締結される。このためアクセサリシュー１１０は、撮像装置１００の内部に水滴が入らない防滴構造となっている。
【００２７】
１１１はＡＣＣコネクタ（アクセサリシューコネクタ）である。ＡＣＣコネクタ１１１は、外付けアクセサリ１１７と通信するため、樹脂製の外形部の中に複数の金属端子がインサート成型などで並列配置されたコネクタである。ＡＣＣコネクタ１１１は、外装カバー３０５の内観に配置されるＦＰＣ６０３（図６（ｂ）参照）などに実装、半田付けされ、且つコネクタの接点部以外の外形部で外装カバー３０５と係合することで、撮像装置１００の内部に水滴が入らない防滴構造となっている。なお、ＡＣＣピン３０２およびＡＣＣコネクタ１１１の半田付けは、同一のＦＰＣ上または別々のＦＰＣ上のいずれで行ってもよく、電気特性を考慮しながら選定することが好ましい。
【００２８】
ＡＣＣコネクタ１１１の端子は大別すると、ＧＮＤ端子１１２、第一の検知端子１１３、第二の検知端子１１４、および、信号端子１１５からなる。ＧＮＤ端子１１２は、外付けアクセサリ１１７のＧＮＤ接続を行うための端子である。第一の検知端子１１３および第二の検知端子１１４は、外付けアクセサリ１１７が装着されたことを検知するための端子である。信号端子１１５は、外付けアクセサリ１１７と撮像装置１００とが通信するための端子である。
【００２９】
次に、図４を参照して、外付けアクセサリ１１７が電子ビューファインダ（ＥＶＦ）である場合のＡＣＣコネクタ１１１の端子配置について説明する。図４は、ＡＣＣコネクタ１１１の端子配置例である。図４において、各端子の信号名の左側に記載の数字はコネクタのピン番号であり、本実施形態では一例として２１ピンのＡＣＣコネクタ１１１を有するアクセサリシュー１１０について説明する。また図４において、符号４０１〜４１５の右側に記載されているカッコ内の番号（１１２〜１１５）は、図１を参照して説明したＧＮＤ端子１１２、第一の検知端子１１３、第二の検知端子１１４、および、信号端子１１５にそれぞれ対応する。例えば、図４中の符号４０２で示される端子は、図１中の信号端子１１５に相当する。また本実施形態において、図３に示されるＡＣＣコネクタ１１１の右端が１番ピンである。
【００３０】
次に、図５および図６を参照して、ＡＣＣカバー２００およびアクセサリシュー１１０の構成について説明する。図５は、ＡＣＣカバー２００の構成図である。図５（ａ）はＡＣＣカバー２００の表面斜視図、図５（ｂ）はＡＣＣカバー２００の裏面斜視図、図５（ｃ）はＡＣＣカバー２００の第一の接点部５０４および第二の接点部５０５の拡大図である。図６は、ＡＣＣカバー２００が装着された状態のアクセサリシュー１１０の拡大図である。図６（ａ）はＡＣＣカバー２００が装着された状態でのアクセサリシュー１１０の斜視図、図６（ｂ）は図６（ａ）中のＸ−Ｘ断面図、および、図６（ｃ）は図６（ａ）中のＺ−Ｚ断面図である。
【００３１】
５００は庇部（カバー部）である。庇部５００は、アクセサリシュー１１０にＡＣＣカバー２００が装着された状態において、ＡＣＣコネクタ１１１に配置された複数のＡＣＣコネクタ端子６０２の略直上を覆う。ここで、略直上とは、厳密な直上に限定されるものではなく、実質的に直上と評価される場合を含む意味である。庇部５００の短辺両側には第一の止水部５０１、第二の止水部５０２、および、挿入側と反対の長辺には第三の止水部５０３がそれぞれ庇部５００と一体的に形成されている。
【００３２】
図６（ｃ）に示されるように、第一の止水部５０１および第二の止水部５０２は、ＡＣＣコネクタ１１１のＡＣＣコネクタ樹脂部６０１とＡＣＣプレート３０４とに密着して挟まれている。また、図６（ｂ）に示されるように、装着方向において、第一の止水部５０１および第二の止水部５０２の先端は、外装カバー３０５に当接している。また、第一の止水部５０１および第二の止水部５０２と同一端面の庇部５００の先端も、装着方向において外装カバー３０５に当接している。
【００３３】
図６（ｂ）に示されるように、第三の止水部５０３は、ＡＣＣスプリング３０３とＡＣＣプレート３０４とに密着して挟まれ、且つ、装着方向においてＡＣＣコネクタ樹脂部６０１に当接している。このような構成により、ＡＣＣカバー２００を装着した状態において、アクセサリシュー１１０、外装カバー３０５、および、ＡＣＣカバー２００により、ＡＣＣコネクタ１１１の実装面を除くＡＣＣコネクタ端子６０２の周囲の５つの方向を覆うことができる。このため、防塵・防滴構造を形成することが可能となる。
【００３４】
本実施形態において、少なくとも庇部５００、第一の止水部５０１、第二の止水部５０２、および、第三の止水部５０３は、弾性のあるエラストマーなどで構成することが好ましい。このような構成により、エラストマーの弾性によってアクセサリシュー１１０や外装カバー３０５への密着性が高まると共に、止水性を向上させることが可能となる。
【００３５】
また、庇部５００、第一の止水部５０１、第二の止水部５０２、および、第三の止水部５０３は、部分的に弾性材料とした二色成形などで構成されてもよく、また、ＡＣＣカバー２００の全体をエラストマーで構成してもよい。ＡＣＣカバー２００の全体を同一材料で構成することにより、成型工数を削減してコストダウンを図ることができる。
【００３６】
５０４はＡＣＣカバー２００における第一の接点部、５０５はＡＣＣカバー２００における第二の接点部、５０６はＡＣＣカバー２００における第三の接点部である。第一の接点部５０４、第二の接点部５０５、および、第三の接点部５０６は、庇部５００と一体的に形成されている。また第一の接点部５０４、第二の接点部５０５、および、第三の接点部５０６は、第一の止水部５０１、第二の止水部５０２、および、第三の止水部５０３と同様に、弾性のあるエラストマーなどで構成されている。
【００３７】
第一の接点部５０４は、ＡＣＣカバー２００がアクセサリシュー１１０に挿入された際、図４に示されるＡＣＣコネクタ１１１の端子のうち、第一の検知端子４０９（１１３）に対応する位置に配置されている。同様に、第二の接点部５０５は、ＡＣＣカバー２００がアクセサリシュー１１０に挿入された際、ＡＣＣコネクタ１１１の端子のうち、第二の検知端子４１０（１１４）に対応する位置に配置されている。第三の接点部５０６は、図４に示されるＡＣＣコネクタ１１１の端子のうち、例えばＧＮＤ４０１（１１２）に対応する位置に配置されている。
【００３８】
図５（ｂ）、（ｃ）に示されるように、第一の接点部５０４、第二の接点部５０５、および、第三の接点部５０６の接点面上にはそれぞれ、導体部５０７が形成されている。導体部５０７は、ＡＣＣカバー２００の表面上に引かれたパターニング部５０７ａを介して、短絡部５０７ｂで短絡している。これをパターニング構造という。導体部５０７、パターニング部５０７ａ、および、短絡部５０７ｂは、ＡＣＣカバー２００の表面上に薄い金属薄膜として密着して形成されている。このような金属薄膜は、例えば、ＡＣＣカバー２００表面を薬品やレーザで表面粗化した後に触媒を付与して無電解めっきする樹脂メッキや、ＭＩＤ（Ｍｅｃｈａｔｒｏｎｉｃ  Ｉｎｔｅｇｒａｔｅｄ  Ｄｅｖｉｃｅ）工法により形成される。また、第一の接点部５０４、第二の接点部５０５、第三の接点部５０６、導体部５０７、パターニング部５０７ａ、および、短絡部５０７ｂをそれぞれ金属のプレス部品で形成し、プレス部品を含めてインサート成型でＡＣＣカバー２００を形成してもよい。これをインサート成型構造という。
【００３９】
図６（ｂ）、（ｃ）に示されるように、アクセサリシュー１１０にＡＣＣカバー２００が装着される際、第一の接点部５０４、第二の接点部５０５、第三の接点部５０６および導体部５０７は、ＡＣＣプレート３０４とＡＣＣコネクタ端子６０２に密着して挟まれる。これにより、これらの各要素はＡＣＣコネクタ端子６０２と導通する。
【００４０】
本実施形態において、第一の止水部５０１、第二の止水部５０２、および第三の止水部５０３のチャージ力をＦα、第一の接点部５０４、第二の接点部５０５、および第三の接点部５０６のチャージ力をＦβとするとき、Ｆα＞Ｆβの関係を満足することが好ましい。チャージ力Ｆβがチャージ力Ｆαよりも大きい場合、第一の接点部５０４、第二の接点部５０５、および、第三の接点部５０６が先に突っ張ってしまう。その結果、第一の止水部５０１、第二の止水部５０２、および、第三の止水部５０３に当接する所定面に隙間が形成され、防塵・防滴性が低下する可能性がある。一方、Ｆα＞Ｆβの関係を満足することにより、第一の止水部５０１、第二の止水部５０２、および、第三の止水部５０３を所定面に密着させることができ、良好な防塵・防滴性を確保することが可能となる。
【００４１】
また、第一の接点部５０４、第二の接点部５０５、および、第三の接点部５０６についても、ＡＣＣコネクタ端子６０２に過剰なチャージ力が掛かること無く導通させることが可能となる。加えて、ＡＣＣカバー２００の装着の際に、ＡＣＣコネクタ端子６０２上のワイピング効果を考慮すると、チャージ力Ｆβは確実に導通を取るために約２０ｇ程度であることが好ましい。本実施形態では、ＡＣＣカバー２００には３つの接点部が設けられているため、チャージ力Ｆαは６０ｇ以上であることが好ましい。
【００４２】
前述のように、第一の接点部５０４、第二の接点部５０５、および、第三の接点部のそれぞれの上に設けられた導体部５０７は全て、短絡部５０７ｂにおいて短絡するように構成されている。このため、アクセサリシュー１１０にＡＣＣカバー２００が装着された状態では、図４に示されるＧＮＤ４０１（１１２）、第一の検知端子４０９（１１３）、第二の検知端子４１０（１１４）は、ＡＣＣカバー２００を介して全て短絡する。
【００４３】
図６（ｃ）に示されるように、ＧＮＤ４０１（１１２）、第一の検知端子４０９（１１３）、および第二の検知端子４１０（１１４）（すなわち所定の端子）以外の部分において、庇部５００とＡＣＣコネクタ端子６０２との間の領域は空隙６０４となっている。このような構成により、所定の端子以外の端子は短絡しない。
【００４４】
図５（ｂ）および図６（ｃ）において、５０８は第一の位置決め部、５０９は第二の位置決め部である。第一の位置決め部５０８および第二の位置決め部５０９は、第一の止水部５０１および第二の止水部５０２の外側であって、且つ、ピッチ方向（図６（ｃ）の上下方向）において導体部５０７と略同一の位置に配置されている。なお、略同一の位置とは、厳密に同一の位置に限定されるものではなく、実質的に同一の位置であると評価される位置を含む意味である。
【００４５】
第一の位置決め部５０８および第二の位置決め部５０９により、ＡＣＣカバー２００の装着の際に各接点部の位置と、ＧＮＤ４０１、第一の検知端子４０９、および、第二の検知端子４１０の位置がピッチ方向にずれることなく当接して導通させることが可能となる。ピッチ方向の位置決めは、第一の止水部５０１または第二の止水部５０２のいずれか一方にガタ寄せし、反ガタ寄せ側の第一の位置決め部５０８または第二の位置決め部５０９で装着位置を規制するようにしてもよい。このような構成により、ユーザが仮に乱雑にＡＣＣカバー２００を装着した場合でも、第一の接点部５０４、第二の接点部５０５、および、第三の接点部５０６やＡＣＣコネクタ端子６０２の破損を防止することができる。
【００４６】
次に、図７を参照して、ＡＣＣカバー２００の装着時における撮像装置１００の動作について説明する。図７は撮像装置１００の動作の説明図である。図７（ａ）は、撮像装置１００のアクセサリシュー１１０およびＡＣＣコネクタ１１１に外付けアクセサリ１１７が装着された場合の電流の流れを示す図である。
【００４７】
ＡＣＣコネクタ端子６０２の第一の検知端子４０９および第二の検知端子４１０を介して外付けアクセサリ１１７へ所定の電圧でプルアップされると、外付けアクセサリ１１７から所定の電圧でプルダウンされて返ってくる。このとき、プルダウンされた電圧が所定の電圧範囲になる場合、撮像装置１００から外付けアクセサリ１１７へ電源が供給される。その後、撮像装置１００の中央演算処理装置１０４は、通信により外付けアクセサリ１１７内のＤｅｖｉｃｅ−ＩＤなどの確認を行う。そして中央演算処理装置１０４は、撮像装置１００に装着された外付けアクセサリ１１７が対応可能な外付けアクセサリであると判定した場合、初期化および正常動作を行う。
【００４８】
図７（ｂ）は、撮像装置１００にＡＣＣカバー２００を装着した場合の電流の流れを示す図である。撮像装置１００のアクセサリシュー１１０およびＡＣＣコネクタ１１１にＡＣＣカバー２００を装着した場合を考える。このとき、ＡＣＣカバー２００の第一の接点部５０４、第二の接点部５０５、第三の接点部５０６、導体部５０７、および、短絡部５０７ｂにより、ＡＣＣコネクタ１１１のＧＮＤ４０１、第一の検知端子４０９、および、第二の検知端子４１０は短絡状態となる。すなわち第一の検知端子４０９および第二の検知端子４１０からの電圧がＧＮＤ  ４０１に落ちてＬｏｗ状態となるため、プルアップができない。この状態をＡＣＣカバー２００の装着状態と定義すると、電気回路を持たないＡＣＣカバー２００であってもＡＣＣカバー２００の装着状態の検知が可能となる。
【００４９】
また、ＡＣＣカバー２００の装着状態を検知した場合、中央演算処理装置１０４は、第一の検知端子４０９や第二の検知端子４１０を使用した外付けアクセサリ１１７の検知を行わない。このような制御により、仮にアクセサリシュー１１０やＡＣＣコネクタ１１１に水滴や異物が混入し、第一の検知端子４０９や第二の検知端子４１０と他の端子とが短絡した場合でも、誤検知やエラー表示を行うことなく撮影動作の継続が可能となる。
【００５０】
撮像装置１００や外付けアクセサリ１１７の制御によっては、第一の検知端子４０９および第二の検知端子４１０のいずれか一方のみ装着検知に使用していない場合がある。このような制御の撮像装置１００であれば、第一の接点部５０４、第二の接点部５０５、および、第三の接点部５０６の全てが短絡していなくてもよい。少なくとも検知に使用している第一の接点部５０４および第二の接点部５０５のいずれか一方と、ＧＮＤとしている第三の接点部５０６が短絡する構成としてもよい。
【００５１】
また、検知に使用している第一の接点部５０４および第二の接点部５０５と短絡させるＧＮＤ接点部の位置は、ＡＣＣコネクタ１１１上で少なくとも１ピン以上ピッチが離れたＧＮＤ端子と対応する位置に設けることが好ましい。このような構成により、仮にＡＣＣコネクタ１１１内に水滴などが侵入したとしても、検知端子とＡＣＣカバー２００の装着検知に使用するＧＮＤ端子との間の距離が離れているため、不用意に跨って短絡させる可能性が低くなる。このため、ＡＣＣカバー２００の装着状態をより確実に検知することが可能となる。
【００５２】
また、アクセサリシュー１１０からＡＣＣカバー２００が外された場合、すなわち第一の検知端子４０９および第二の検知端子４１０の少なくとも一方がＬｏｗからＨｉに遷移したと検知した場合、ユーザに所定の通知を行うことが好ましい。所定の通知とは、例えば、表示装置１０６などにＡＣＣコネクタ１１１のＡＣＣコネクタ端子６０２に水滴やゴミなどが付着していないかに関する注意を喚起するメッセージ（警告）を表示するなどである。このような制御により、ＡＣＣカバー２００を外して外付けアクセサリ１１７を装着する間に一度ＡＣＣコネクタ１１１の状態の確認をユーザに促すことが可能となる。そこで水滴やゴミなどがあれば除去・掃除されるため、水滴やゴミなどを挟んだまま外付けアクセサリ１１７が装着されて誤検知やエラーなどで撮影動作が妨害されるのを抑制することが可能となる。
【００５３】
このように本実施形態において、アクセサリシューカバー（ＡＣＣカバー２００）は、撮像装置１００のアクセサリシュー１１０に装着可能であり、庇部５００、止水部（第一の止水部５０１、第二の止水部５０２、第三の止水部５０３）、および、接点部を有する。庇部５００は、アクセサリシューのコネクタ（ＡＣＣコネクタ１１１）を構成する複数の端子（ＡＣＣコネクタ端子６０２）を覆う。止水部は、庇部の周囲に設けられ、アクセサリシューに当接する。接点部は、複数の端子の少なくとも一つに当接する。
【００５４】
好ましくは、接点部の数は、複数の端子の数よりも少ない。また、アクセサリシューカバーをアクセサリシューに装着した場合、複数の端子のうち接点部が当接していない端子と庇部との間には空隙（空間領域）６０４が形成される。また好ましくは、止水部および庇部は、弾性を有し、アクセサリシューカバーをアクセサリシューに装着する際にプレート（ＡＣＣプレート３０４）およびコネクタの少なくとも一部に当接する。また好ましくは、接点部は、弾性を有し、アクセサリシューカバーをアクセサリシューに装着する際に複数の端子の少なくとも一つに当接する。
【００５５】
好ましくは、止水部のチャージ力をＦα、接点部のチャージ力をＦβとするとき、Ｆα＞Ｆβを満足する。また好ましくは、接点部は、導通可能な導体部５０７を有する。また好ましくは、アクセサリシューは、庇部の所定方向（ピッチ方向）における位置決めを行う位置決め部（第一の位置決め部５０８、第二の位置決め部５０９）を有する。そして位置決め部は、所定方向において、接点部の導体部と略同一の位置に設けられている。
【００５６】
好ましくは、接点部は、撮像装置に外付けアクセサリ１１７が装着されたことを検知するコネクタの第一の検知端子１１３に対応する位置に設けられた第一の接点部５０４と、コネクタのＧＮＤ端子１１２に対応する位置に設けられた第三の接点部５０６とを有する。より好ましくは、接点部は、更に、撮像装置に外付けアクセサリが装着されたことを検知するコネクタの第二の検知端子１１４に対応する位置に設けられた第二の接点部５０５を有する。より好ましくは、第一の接点部が当接する第一の検知端子または第二の接点部が当接する第二の検知端子の少なくとも一方は、撮像装置にＥＶＦアクセサリが装着されたことを検知する端子である。また好ましくは、第一の接点部または第二の接点部の少なくとも一方と第三の接点部は、アクセサリシューカバーの内部で短絡している。また好ましくは、第一の接点部または第二の接点部の少なくとも一方と第三の接点部との短絡構造は、インサート成型構造またはパターニング構造である。
【００５７】
好ましくは、撮像装置１００の制御部（中央演算処理装置１０４）は、第一の検知端子または第二の検知端子の少なくとも一方とＧＮＤ端子とが短絡している場合、撮像装置１００にアクセサリシューカバーが装着されていると判定する。この場合、制御部は、第一の検知端子または第二の検知端子を介して外付けアクセサリの装着検知を行わない。また好ましくは、制御部は、第一の検知端子または第二の検知端子の少なくとも一方とＧＮＤ端子とが短絡していない場合、撮像装置からアクセサリシューカバーが外されたと判定し、警告を通知する。例えば、制御部は、表示装置１０６にＡＣＣコネクタ端子６０２への水滴やゴミなどの付着有無をチェックする旨の警告を表示させる。
【００５８】
このような構成により、アクセサリシュー１１０とＡＣＣカバー２００の防塵・防滴構造を水滴やゴミなどが突破したとしても、制御的に更なる誤検知対策が取られているため、誤動作やエラーメッセージ処理などでユーザに煩わしさを感じさせることが無い。このため本実施形態によれば、アクセサリコネクタに水滴などが侵入して短絡した場合でも誤検知することなくユーザの撮影動作を阻害しないアクセサリシューカバーおよび撮像システムを提供することができる。
【００５９】
以上、本発明の好ましい実施形態について説明したが、本発明はこれらの実施形態に限定されず、その要旨の範囲内で種々の変形及び変更が可能である。
【符号の説明】
【００６０】
１００  撮像装置
１１０  アクセサリシュー
１１１  ＡＣＣコネクタ（コネクタ）
２００  ＡＣＣカバー（アクセサリシューカバー）
５００  庇部
５０１  第一の止水部（止水部）
５０２  第二の止水部（止水部）
５０３  第三の止水部（止水部）
５０４  第一の接点部（接点部）
５０５  第二の接点部（接点部）
５０６  第三の接点部（接点部）
６０２  ＡＣＣコネクタ端子（端子）
【図１】
2019191365.tif 000003
【図２】
2019191365.tif 000004
【図３】
2019191365.tif 000005
【図４】
2019191365.tif 000006
【図５】
2019191365.tif 000007
【図６】
2019191365.tif 000008
【図７】
2019191365.tif 000009